(57)【要約】【課題】  台所やトイレ、風呂場等、家庭における複数の場所で、優れた洗浄効果を発揮し、家庭用洗浄剤としてマルチに使用することの出来る洗浄剤組成物を、提供すること。【解決手段】  炭酸水素ナトリウムと界面活性剤を必須の構成成分として併用すると共に、該炭酸水素ナトリウムの少なくとも一部が、固体の状態で存在せしめられるように、洗浄剤組成物を調製した。【選択図】          なし【特許請求の範囲】
【請求項１】
炭酸水素ナトリウムと界面活性剤とを含み、且つ、該炭酸水素ナトリウムの少なくとも一部が、固体の状態で存在せしめられていることを特徴とする洗浄剤組成物。
【請求項２】
水溶性の保湿剤が、更に含有せしめられている請求項１に記載の洗浄剤組成物。
【請求項３】
前記界面活性剤として、セッケンが用いられている請求項１又は請求項２に記載の洗浄剤組成物。
【請求項４】
増粘剤が、水系媒体と共に含有せしめられ、ペースト状とされている請求項１乃至請求項３の何れかに記載の洗浄剤組成物。
【発明の詳細な説明】
【技術分野】
【０００１】
本発明は、洗浄剤組成物に係り、特に、台所やトイレ、風呂場等、家庭における複数の場所でマルチに使用することの出来る洗浄剤組成物に関するものである。
【背景技術】
【０００２】
従来より、１つの洗浄剤を用いて、台所やトイレ、風呂場等、家庭における複数の場所で発生する汚れを、それぞれ、効果的に洗浄することが困難であるところから、各々の場所に応じて、各場所に適合する洗浄剤が、例えば、食器洗い用洗剤や台所用洗剤、トイレ用洗剤、お風呂用洗剤等として、場所別乃至は用途別に、別個に市販されている。
【０００３】
しかしながら、使用場所等に応じて製造された洗浄剤であっても、必ずしも満足できる洗浄力を得ることが出来ない場合があった。例えば、急須の茶渋や金属鍋のカレー、洗面器に付着した汚れ等を洗浄する場合等においては、充分な洗浄力が得られず、それらの汚れが落ちないといったことが、往々にしてあったのである。
【０００４】
また、それらの洗浄剤の使用によって、皮膚炎等の‘手荒れ’が、頻繁に惹起されることも、問題となっている。
【発明の開示】
【発明が解決しようとする課題】
【０００５】
ここにおいて、本発明は、かかる事情を背景にして為されたものであって、その解決課題とするところは、台所やトイレ、風呂場等、家庭における複数の場所で、優れた洗浄効果を発揮し、家庭用洗浄剤としてマルチに使用することの出来る洗浄剤組成物を、提供することにある。
【０００６】
また、本発明は、上述せる如き効果を発揮する洗浄剤組成物において、手荒れの発生を抑制すること、また、環境に優しい洗浄剤組成物を提供することを、それぞれ、別の解決課題とする。
【課題を解決するための手段】
【０００７】
そして、本発明者は、そのような課題を解決すべく鋭意検討を重ねた結果、ベースとなる洗浄成分として炭酸水素ナトリウムと界面活性剤とを混合して用い、且つ、かかる洗浄成分のうちの炭酸水素ナトリウムを、固体の状態で存在するようにした洗浄剤組成物を使用することにより、そのような洗浄剤組成物だけで、台所汚れ（例えば、食器、シンク等の汚れ）やトイレの汚れ、風呂場の汚れ等、家庭における様々な場所の汚れを効果的に洗浄し得ることを、見出した。また更に、水溶性の保湿剤を添加すれば、手荒れを起こし易いユーザーが素手で使用しても、手荒れの発生が有利に抑制され得ることも知見したのである。
【０００８】
従って、本発明は、上述せる如き知見に基づいて完成されたものであって、その第一の態様とするところは、炭酸水素ナトリウムと界面活性剤とを含み、且つ、該炭酸水素ナトリウムの少なくとも一部が、固体の状態で存在せしめられていることを特徴とする洗浄剤組成物にある。
【０００９】
また、本発明に従う洗浄剤組成物における第二の態様にあっては、水溶性の保湿剤が、更に含有せしめられることとなる。
【００１０】
さらに、本発明に従う洗浄剤組成物の第三の態様では、前記界面活性剤として、セッケンが用いられる構成が採用される。
【００１１】
加えて、本発明の第四の態様においては、増粘剤が、水系媒体と共に含有せしめられ、ペースト状とされている。
【発明の効果】
【００１２】
そして、本発明に従う洗浄剤組成物における、先述した第一の態様によれば、有機物質の汚れ落としに有効な炭酸水素ナトリウムと、油汚れ落としに有効な界面活性剤とが組み合わされて用いられているところから、それら炭酸水素ナトリウムによる洗浄作用と界面活性剤による洗浄作用とが相俟って、洗浄効果が相乗的に高められ得ることとなるのである。また、炭酸水素ナトリウムは、少なくともその一部が固体の状態とされているところから、炭酸水素ナトリウムによる研磨効果も有利に発現されることとなる。このため、炭酸水素ナトリウムと界面活性剤とを併用し、且つ、かかる洗浄成分のうちの炭酸水素ナトリウムを、固体の状態で存在するようにした洗浄剤組成物を採用すると、台所の汚れ（例えば、食器、シンク等の汚れ）や、トイレの汚れ、風呂場の汚れ等、家庭における様々な場所の汚れが、何れも、効果的に洗浄され得るのである。従って、本発明に従う洗浄剤組成物は、台所用洗剤やトイレ用洗剤、お風呂用洗剤等、各種家庭用洗浄剤として、様々な用途で有利に用いられることとなる。
【００１３】
また、本発明に従う洗浄剤組成物の第二の態様によれば、水溶性の保湿剤の添加によって、手荒れの発生が効果的に抑制され得るようになる。
【００１４】
さらに、本発明に従う洗浄剤組成物の第三の態様によれば、牛脂やヤシ油等の動植物油脂を原料として製造される天然系界面活性剤たるセッケンが、界面活性剤として採用されているところから、環境への悪影響も少なくなって、環境破壊等の問題が有利に防止乃至は抑制されることとなる。
【００１５】
加えて、本発明に従う洗浄剤組成物の第四の態様によれば、蒸留水や精製水、水道水等の水系媒体と共に、増粘剤が添加されて、ペースト状とされているところから、使い勝手が良好となるのである。具体的には、洗浄剤組成物が固液分離することなく均一となるところから、使用時に、洗浄剤組成物が収容された容器をシェイクする等して、均一化を図る必要がなく、また収容容器を倒しても、漏れ難いといった利点がある。
【発明を実施するための最良の形態】
【００１６】
ところで、本発明に従う洗浄剤組成物は、その使用態様に応じて最も適した形態が適宜に選択され、例えば粉末状や固形状等の固体形態の他、スラリー形態、又はペースト形態等の何れの形態で形成されていても良いのであるが、少なくとも、必須の構成成分として、炭酸水素ナトリウムと界面活性剤とを含んでいる必要がある。
【００１７】
より具体的には、本発明において必須成分の一つとして採用される炭酸水素ナトリウムは、その弱アルカリ性による洗浄作用や、固体状で存在せしめられることによる研磨作用によって、強力な汚れ落としの効果を発揮するものである。また、かかる炭酸水素ナトリウムは、重曹やベーキングソーダとして、従来より、医療の分野では制酸剤として、また、食品や料理の分野では膨張剤として、広く用いられている化合物であり、安全性も確保されている。さらに、この炭酸水素ナトリウムは、プロピレングリコールやグリセリン等のアルコール類に対する溶解度が低いといった特性を有している。
【００１８】
そして、本発明に従う洗浄剤組成物においては、上記炭酸水素ナトリウムの研磨作用による優れた洗浄効果を得るべく、必要に応じて用いられる媒体に、かかる炭酸水素ナトリウムが完全に溶解することなく、炭酸水素ナトリウムの少なくとも一部が、固体の状態で存在せしめられることとなるのである。
【００１９】
なお、上記した炭酸水素ナトリウムに類似する成分として、炭酸水素カリウムがあり、この炭酸水素カリウムにあっても、炭酸水素ナトリウムと同様な洗浄効果を期待することが出来るのであるが、炭酸水素ナトリウムに比して、水系媒体への溶解度が大きく、アルカリ度が高いところから、素手での取り扱いが困難となり、家庭用洗剤としては、手荒れや肌荒れ、目に入った場合には、痛みを生じ炎症を起こす等、様々な問題が惹起される傾向があり、そのため、その使用は望ましくないのである。
【００２０】
一方、本発明に従う洗浄剤組成物において、必須成分の他の一つとして採用される界面活性剤は、よく知られているように、その界面活性作用（例えば、乳化作用や分散作用等）によって、油や有機物質等に対する優れた洗浄効果を発現する。そして、この界面活性剤としては、人体に対する安全性が確保されているものであれば、その種類が特に限定されるものではなく、例えば、アルキルベンゼンスルホン酸塩やα−オレフィンスルホン酸塩、アルカンスルホン酸塩、硫酸アルキル塩、硫酸アルキルポリオキシエチレン塩、リン酸アルキル塩、長鎖脂肪酸塩（セッケン）、α−スルホ脂肪酸エステル塩等の陰イオン界面活性剤；アルキルトリメチルアンモニウム塩、ジアルキルジメチルアンモニウム塩、アルキルジメチルベンジルアンモニウム塩等の陽イオン界面活性剤；アルキルポリオキシエチレンエーテル、脂肪酸ジエタノールアミド、アルキルポリグルコシド等の非イオン界面活性剤；ジメチルアルキルアミンオキシド、Ｎ−アルキルベタイン、イミダゾリン誘導体等の両性界面活性剤等、公知の各種の界面活性剤を用いることが出来、公知の界面活性剤のうちの少なくとも１種若しくは２種以上が、適宜に選択されて用いられることとなる。また、これらの界面活性剤の中でも、陰イオン界面活性剤にあっては、洗浄力が高く、泡立ちも良いところから、本発明において好適に用いられる。特に、そのような陰イオン界面活性剤の中でも、環境への影響等を考慮して、環境に優しいものとするためには、合成界面活性剤ではなく、天然系の長鎖脂肪酸塩（セッケン）が、特に好適に採用されることとなる。
【００２１】
なお、ここにおいて、上記した長鎖脂肪酸塩（セッケン）は、長鎖脂肪酸のナトリウム塩乃至はカリウム塩（主に、ナトリウム塩）であって、一般に、牛脂等の動物油脂や、パーム油、綿実油、ヤシ油、大豆油等の植物油脂等の天然の油脂が原料とされて、製造されているものである。また、かかるセッケンを構成する長鎖脂肪酸としては、特に限定されるものではないが、炭素数が１２〜１８である、ラウリン酸やミリスチン酸、パルミチン酸、ステアリン酸、オレイン酸等が多く用いられてきている。
【００２２】
また、かかる界面活性剤としては、セッケンや複合セッケン、合成洗剤として製品化乃至は商品化されている、商業的に入手が可能である市販品を、そのまま使用することが可能である。具体的には、セッケンとしては、例えば、ボーソー油脂株式会社製粉せっけんボーソー、ボーソー台所用粉石けん、太陽油脂株式会社製粉石けん、シャボン玉石けん株式会社製粉石けん、ミヨシ石鹸株式会社製粉石けん等を挙げることが出来る一方、合成洗剤としては、花王株式会社製ワンダフルＫ、チェリーナ、ファミリー、ライオン株式会社製ライポンＦ、ママレモン、チャーミー等の家庭用合成洗剤等を挙げることが出来る。
【００２３】
そして、本発明に従う洗浄剤組成物にあっては、上述せる如き炭酸水素ナトリウムと界面活性剤とが必須成分として組み合わされ、混合せしめられることとなるのである。その際、それら炭酸水素ナトリウムと界面活性剤の配合割合は、目的とする洗浄作用に応じて適宜に決定され、特に制限されるものではないが、目的とする洗浄効果を有利に実現するためには、炭酸水素ナトリウムと界面活性剤とが、重量比で、（炭酸水素ナトリウム：界面活性剤）＝（５０：５０）〜（９５：５）となるように、用いられることが望ましい。
【００２４】
例えば、粉末状乃至は固形状の洗浄剤組成物を調製する場合において、炭酸水素ナトリウムが５０〜９５重量％となるように、また、界面活性剤が５〜５０重量％となるように、それら炭酸水素ナトリウムと界面活性剤が配合せしめられるのである。
【００２５】
また、スラリー状の洗浄剤組成物を調製する場合にあっては、炭酸水素ナトリウムの少なくとも一部が、溶媒中において、固体として存在し得るように、炭酸水素ナトリウムは、使用される溶媒（液分）の１００重量部に対して、５重量部以上の割合となるように用いられる。例えば、スラリー状洗浄剤組成物中に占める溶媒の含有量が、４０〜５０重量％（ｗ／ｗ％）の場合、炭酸水素ナトリウムの配合量の下限は、２〜２．５重量％とされることとなる。尤も、この場合にあっても、上述せるように、炭酸水素ナトリウムと界面活性剤は、重量比で、（炭酸水素ナトリウム：界面活性剤）＝（５０：５０）〜（９５：５）となるように、つまり、炭酸水素ナトリウムは、洗浄剤組成物の固形分たる非液分（５０〜６０重量％）の５０〜９５％、即ちスラリー状洗浄剤組成物全量の２５〜５７重量％となるように、また界面活性剤は、非液分（５０〜６０重量％）の５〜５０％、即ちスラリー状洗浄剤組成物全量の２．５〜３０重量％となるように、配合されることが、望ましい。
【００２６】
さらに、ペースト状の洗浄剤組成物を調製する場合にあっては、上記スラリー状洗浄剤組成物を調製する場合に比して、使用する液分が少ないものの、炭酸水素ナトリウムの少なくとも一部が、溶媒中において、固体として存在し得るように、炭酸水素ナトリウムは、使用される溶媒の１００重量部に対して、５重量部以上の割合となるように用いられることとなる。例えば、ペースト状洗浄剤組成物中に占める溶媒の含有量が、２０〜４０重量％の場合、炭酸水素ナトリウムの配合量の下限は、１〜２重量％とされるのである。また、この場合にあっても、上述せるように、炭酸水素ナトリウムと界面活性剤は、重量比で、（炭酸水素ナトリウム：界面活性剤）＝（５０：５０）〜（９５：５）となるように、つまり、炭酸水素ナトリウムは、非液分（６０〜８０重量％）の５０〜９５％、即ちペースト状洗浄剤組成物全量の３０〜７６重量％となるように、また界面活性剤は、非液分（６０〜８０重量％）の５〜５０％、即ちペースト状洗浄剤組成物全量の３〜４０重量％となるように、配合されることが、望ましい。
【００２７】
また、かかる本発明に従う洗浄剤組成物には、更に、保湿剤が添加、含有せしめられることが望ましく、かかる保湿剤の添加によって、手荒れの発生が有利に抑制されるようになる。
【００２８】
なお、そのような保湿剤としては、洗浄剤組成物の洗浄力に悪影響を与えず、また、水系媒体に可溶乃至は相溶する水溶性のものが採用される。かかる保湿剤の具体例としては、例えば、プロピレングリコール、グリセリン、ブチレングリコール、ジプロピレングリコール、ポリエチレングリコール、ジグリセリン等の多価アルコール類の他、ハチミツ、グルコース、キシリトール、マンニット、ソルビトール等の糖類、グリシン、アラニン、リジン、シスチン、セリン、ベタイン、スレオニン等のアミノ酸、また、その他に、キトサン、尿素、ヒアルロン酸ナトリウム、ムコ多糖類等が挙げられ、これらのうちの１種が単独で用いられたり、或いはそのうちの２種以上が混合されて用いられる。これらの中でも、プロピレングリコール、グリセリン等の多価アルコール類は、汎用品で入手し易く、比較的に安価であり、また、安定性や使用感も良好であるところから、特に、好適に採用される。
【００２９】
また、かかる保湿剤の添加量は、使用する保湿剤に応じて適宜に設定され、特に限定されるものではないものの、液体状の保湿剤にあっては、好ましくは非固形成分（液分）全体の２０〜８０重量％、更に好ましくは３０〜６０重量％となるように、また、固体状の保湿剤にあっては、好ましくは洗浄剤組成物全量の３〜２０重量％、更に好ましくは５〜１０重量％となるように添加される。何故なら、保湿剤の添加量が上記配合割合よりも少ない場合には、保湿剤の添加効果が充分に発現されないからであり、反対に、保湿剤の添加量が上記配合割合より多くても、それに見合うだけの効果を期待し得ないからである。特に、水を使用する場合には、目的とする洗浄剤組成物が長期保存に充分に耐えられるように保湿剤の添加量が設定されることが望ましい。例えば、保湿剤として、液体状である、グリセリンやプロピレングリコール等の多価アルコール類を用いる場合、保湿剤の添加量を、液分の重量の５０重量％となるようにすれば、手荒れが抑制され得ると共に、洗浄剤組成物の腐敗も有利に防止され得るようになる。
【００３０】
さらに、本発明に従う洗浄剤組成物には、上記した保湿剤の他にも、必要に応じて、増粘剤が添加、含有せしめられても良い。なお、かかる増粘剤は、ペースト状の洗浄剤組成物を製造する場合に、特に有利に用いられるものであって、該増粘剤が、水系媒体と共に配合されることによって、洗浄剤組成物が増粘して、ペースト状となるのである。このようにしてペースト状とされた洗浄剤組成物にあっては、洗浄剤組成物中の液分と非液分が固液分離することなく、各構成成分が均一に含有せしめられるところから、使用に先立って、洗浄剤組成物が収容された容器を振る等して均一化を図る必要はなく、そのまま使用することが出来る。また、ペースト状であるところから、洗浄剤組成物が収容された容器から、漏れ難いといった利点もある。
【００３１】
なお、かかる増粘剤の具体例としては、例えば、カルボキシルメチルセルロースナトリウム、ポリアクリル酸ナトリウム、アミロース、アミロペクチン、アラビアガム等の各種ガム類、アルギン酸及びその塩、加工デンプン類、カラギナン、キチン−キトサン、グルテン類、デキストリン、ペクチン、ポリアクリル酸ナトリウム、マンナン類等が挙げられ、これらのうちの１種が単独で用いられたり、或いはそのうちの２種以上が混合されて用いられる。これらの中でも、カルボキシルメチルセルロースナトリウム、ポリアクリル酸ナトリウムにあっては、常温の水にも溶解し易く、安定性も良好であるところから、特に、好適に採用される。
【００３２】
また、上記増粘剤の添加量は、所望とする粘度が得られるように、水系媒体の含有量や、洗浄剤組成物を構成する構成成分の種類等に応じて適宜に設定されるものの、特に、ペースト状の洗浄剤組成物を調製する場合には、ペースト状態が長期間安定して維持され、且つペーストが容易にほぐれることが求められる。このような条件を満たすためには、増粘剤以外の洗浄剤組成物の総量に対し、０．０１〜１％、更に好ましくは、０．０５〜０．５％となるように添加されることが、望ましい。また、洗浄剤組成物中に占める水系媒体の含有量が多いと、増粘剤の添加量も多くなり、これに伴い、濯ぎに手間が掛かって、使い勝手が悪くなるところから、ペースト状洗浄剤組成物を調製する場合、水系媒体の含有量は、２０〜４０重量％程度とされることが、望ましい。
【００３３】
加えて、本発明に従う洗浄剤組成物には、更に必要に応じて、香料や色素等を始めとする、従来から洗浄剤組成物に添加される各種の添加剤が、本発明の目的を阻害しない限りにおいて、適宜に選択されて用いられても、何等差支えない。
【００３４】
ところで、かかる本発明に従う洗浄剤組成物は、常法に従って製造され得るところであって、例えば、粉末状乃至は固形状のものを製造する場合には、公知の各種のミキサー等を用いて、上述の如き各成分を、それぞれ適量において混合すれば良く、また、スラリー状やペースト状のものを製造する場合には、上述せる如き各成分を、溶媒中にそれぞれ適量において添加、混合すれば良い。
【００３５】
また、スラリー状やペースト状の洗浄剤組成物を調製する際に用いられる水系媒体としては、水道水や精製水、蒸留水等の、水そのものの他にも、水を主体とした、生体への安全性が良好な液体媒体であれば、何れも利用することが可能である。
【００３６】
かくして、以上のようにして得られる本発明に従う洗浄剤組成物は、ベースとなる洗浄成分として炭酸水素ナトリウムや界面活性剤をそれぞれ単独で含有する洗浄剤組成物に比して、優れた洗浄作用を発揮するところから、台所用洗剤やトイレ用洗剤、お風呂用洗剤等、各種家庭用洗浄剤として、様々な用途で有利に用いられることとなるのである。
【実施例】
【００３７】
以下に、本発明の幾つかの実施例を示し、本発明を更に具体的に明らかにすることとするが、本発明が、そのような実施例の記載によって、何等の制約をも受けるものでないことは、言うまでもないところである。また、本発明には、以下の実施例の他にも、更には上記の具体的記述以外にも、本発明の趣旨を逸脱しない限りにおいて、当業者の知識に基づいて、種々なる変更、修正、改良等を加え得るものであることが、理解されるべきである。
【００３８】
試験例  １
下記表１に示されるように、炭酸水素ナトリウムの８５重量部と界面活性剤である粉石けん（株式会社イトーヨーカ堂販売の洗濯用石けん）の１５重量部とを混合することにより、粉末状の洗浄剤組成物を調製した。そして、この得られた粉末状洗浄剤組成物を、台所用クレンザーと同様にして、スポンジを用いて、（Ａ）台所（食器、流し台）、（Ｂ）トイレ、（Ｃ）風呂場の３ヶ所の汚れの洗浄を行なったところ、スポンジ洗浄による効果は、（Ａ）台所（食器、流し台）、（Ｂ）トイレ、（Ｃ）風呂場の何れの汚れに対しても、市販の台所用洗剤やトイレ用洗剤、お風呂用洗剤に劣らない洗浄力を発揮したことを認めた。特に、食器の洗浄において、急須の茶渋、金属鍋のカレーの汚れに対する洗浄効果は顕著に高いものであった。一方、手荒れ感は、市販の台所用洗剤と比較して、少ないものであった。
【００３９】
試験例  ２
下記表１に示されるように、炭酸水素ナトリウムの８５重量部、界面活性剤である粉石けんの１５重量部、及び保湿剤水溶液である５０ｗ／ｗ％プロピレングリコール水溶液の８０重量部を混合することにより、流動性のあるスラリー状の洗浄剤組成物を調製した。なお、かかる洗浄組成物において、粉石けんは溶解された状態で存在する一方、炭酸水素ナトリウムはその一部が溶解されるものの、大部分が固体の状態で、非溶解物として存在せしめられていた。また、かかる洗浄組成物を放置すると、非溶解物（固体）が沈殿分離したが、天地回転混合で容易に均一化することが出来た。そして、かかるスラリー状洗浄剤組成物を用いて、上記試験例１と同様にして、（Ａ）台所（食器、流し台）、（Ｂ）トイレ、（Ｃ）風呂場の３ヶ所の汚れの洗浄を行なったところ、上記試験例１と同様な洗浄効果が得られた。また、かかる洗浄剤組成物の使用後には、手にしっとり感があり、手荒れも感じなかった。
【００４０】
試験例  ３
下記表１に示されるように、炭酸水素ナトリウムの８０重量部、界面活性剤である粉石けんの２０重量部、及び保湿剤水溶液である５０ｗ／ｗ％グリセリン水溶液の８０重量部を混合することにより、流動性のある、スラリー状の洗浄剤組成物を調製した。なお、かかる洗浄組成物において、粉石けんは溶解された状態で存在する一方、炭酸水素ナトリウムはその一部が溶解されるものの、大部分が固体の状態で、非溶解物として存在せしめられていた。また、かかる洗浄組成物を放置すると、非溶解物（固体）が沈殿分離したが、天地回転混合で容易に均一化することが出来た。そして、かかるスラリー状洗浄剤組成物を用いて、上記試験例１と同様にして、（Ａ）台所（食器、流し台）、（Ｂ）トイレ、（Ｃ）風呂場の３ヶ所の汚れの洗浄を行なったところ、上記試験例１と同様な洗浄効果が得られた。また、かかる洗浄剤組成物の使用後には、手にしっとり感があり、手荒れも感じなかった。
【００４１】
試験例  ４
下記表１に示されるように、炭酸水素ナトリウムの８５重量部、界面活性剤である粉石けんの１５重量部、保湿剤水溶液である５０ｗ／ｗ％プロピレングリコール水溶液の４０重量部、及び増粘剤であるカルボキシルメチルセルロースナトリウムの０．１５重量部を混合することにより、流動性のあるペースト状の洗浄剤組成物を調製した。なお、かかる洗浄組成物において、炭酸水素ナトリウムは、大部分が固体の状態で、非溶解物として均一に存在せしめられていた。そして、かかるペースト状洗浄剤組成物を用いて、上記試験例１と同様にして、（Ａ）台所（食器、流し台）、（Ｂ）トイレ、（Ｃ）風呂場の３ヶ所の汚れの洗浄を行なったところ、上記試験例１と同様な洗浄効果が得られた。また、かかる洗浄剤組成物の使用後には、手にしっとり感があり、手荒れも感じなかった。
【００４２】
試験例  ５
下記表１に示されるように、炭酸水素ナトリウムの７５重量部、界面活性剤である家庭用台所用液状洗剤（花王株式会社製ファミリー  ピュア）の３０重量部、保湿剤水溶液である５０ｗ／ｗ％グリセリン水溶液の３０重量部、及び増粘剤であるポリアクリル酸ナトリウムの０．１重量部を混合することにより、流動性のあるペースト状の洗浄剤組成物を調製した。なお、かかる洗浄組成物において、炭酸水素ナトリウムは、大部分が固体の状態で、非溶解物として均一に存在せしめられていた。そして、かかるペースト状洗浄剤組成物を用いて、上記試験例１と同様にして、（Ａ）台所（食器、流し台）、（Ｂ）トイレ、（Ｃ）風呂場の３ヶ所の汚れの洗浄を行なったところ、上記試験例１と同様な洗浄効果が得られた。また、かかる洗浄剤組成物の使用後には、手にしっとり感があり、手荒れも感じなかった。
【００４３】
【表１】
2005120245.tif 000002
【産業上の利用可能性】
【００４４】
本発明に従う洗浄剤組成物は、台所（食器、流し台）用洗剤、トイレ用洗剤、お風呂用洗剤等の用途以外にも、換気扇の清掃、電子レンジ内壁の清掃等に使用される台所用洗剤等、家庭における家庭用洗剤として、マルチに利用することが可能である。